(57)【要約】    【課題】外観部品の組み立て工数を削減し、かつ外観に影響を与えることなくインナー部材の位置決めを精度良く行うことができる機器を提供する。    【解決手段】バヨネット係合により鏡筒リング２を前面カバー２１に組み付けた後、インナー部材３１、３２の組み付けが行われる。インナー部材３１に前もって組み付けられた補助光窓３ａの円筒部が前面カバー２１の穴部と嵌合することにより、インナー部材３１は位置決めされる。鏡筒リング２の爪部２ａ、２ｂと前面カバー２１との隙間にインナー部材の凸部３１ａ、３１ｂがそれぞれ嵌め込まれる。鏡筒リング２の回転方向は規制され、インナー部材３１が精度良く位置決めされる。インナー部材３２が前面カバー２１に組み付けられ、鏡筒リング２の爪部２ｃと前面カバー２１との隙間に凸部３２ｃが嵌め込まれる。インナー部材３２は外装端面と凸部３２ｃによって精度良く位置決めされる。【選択図】図３
2010145707.tif 000002
【特許請求の範囲】
【請求項１】
カバーと、前記カバーに取り付けられる外観部品と、前記カバーの内側に取り付けられることで、内部部品を保持するインナー部材とを有し、
前記外観部品には前記カバーに係合する係合部が形成され、
前記係合部を前記カバーに係合させたのち、前記インナー部材を前記カバーの内側に固定することで、前記カバーに係合させた前記係合部と前記インナー部材が係合して、前記外観部品を前記カバーに固定することを特徴とする機器。
【請求項２】
前記係合部は、前記外観部品がバヨネット係合により前記カバーと係合するバヨネット係合部であり、
前記バヨネット係合部と前記カバーとを係合させたのち、前記カバーに係合した前記バヨネット係合部に前記インナー部材を嵌め込むことを特徴とする請求項１に記載の機器。
【請求項３】
前記バヨネット係合部は前記外観部品と前記カバーとが平面で密接する部分に形成することを特徴とする請求項２に記載の機器。
【請求項４】
前記インナー部材には、前記内部部品として窓部材が保持され、前記窓部材は前記カバーと係合することを特徴とする請求項１または２に記載の機器。
【請求項５】
前記カバーおよび前記外観部品は金属で成形され、前記インナー部材は樹脂で成形されたことを特徴とする請求項１ないし４のいずれかに記載の機器。
【発明の詳細な説明】
【技術分野】
【０００１】
本発明は、カバーに外観部品が取り付けられた機器に関する。
【背景技術】
【０００２】
近年、デジタルスチルカメラなどの撮像装置は、外観を良好にするために筐体に金属外装を使用している場合がある。さらに、撮像装置の筐体の前面には、鏡筒リングがデザイン的に鏡筒の周囲に配されていることが多い。
【０００３】
特許文献１には、鏡筒リングの構成及び組み立て方法が開示されている。鏡筒リングは、金属製のカバーリングと、両面テープと、樹脂製の保持リングとから構成され、カバーリングを保持リングに両面テープで貼着させることで、鏡筒リングユニットとなる。
【０００４】
また、保持リングには、両面テープの貼着面とは反対側の裏面に複数の係合爪が配されている。鏡筒リングを撮像装置に固定する際、保持リングに形成されている係合爪を、撮像装置に形成されている係合孔に係合させる。
【０００５】
図１７は従来の撮像装置の外観を示す斜視図である。従来の撮像装置では、鏡筒１０４は、レンズや撮像素子を内蔵し、その一部が露出されて撮像装置１０１の内部に収容されている。また、鏡筒１０４の周囲には、鏡筒リング１０２が配されている。
【０００６】
図１８は鏡筒リング１０２の組み付け方法を示す分解斜視図である。図１８に示すように、鏡筒リング１０２は、前面カバー１０３の位置決めボス１０３ａ、１０３ｂに対して鏡筒リングの凹部１０２ａ、１０２ｂがそれぞれ係合し、位置決めされる。そして、鏡筒リング１０２は、３本のビス１１０ａ、１１０ｂ、１１０ｃにより、前面カバー１０３に固定される。
【特許文献１】特開２００７−２５９４２４号公報（図１３−図１５）
【発明の開示】
【発明が解決しようとする課題】
【０００７】
しかしながら、上記従来の撮像装置には、以下に掲げる問題があった。すなわち、特許文献１に記載の鏡筒リングは鏡筒リングユニットに３点の部品を要し、両面テープの貼付のための冶具が必要となり、貼付工程が増えてしまう。
【０００８】
また、図１７および図１８に示すような構造では、ビス締めのためのスペースが必要であった。このため、カメラに対して鏡筒が大きく鏡筒リングの厚みがとれない場合や、ビス座が作れない場合、ビス締めを行うことができなかった。さらに、また、組み立ての工程にビス締めの作業が増えてしまう。また、組み立ての工程では、ビス締めの代わりに、かしめ作業が行われる場合もある。
【０００９】
また、前面カバーの内側には、各種部品を保持するインナー部材が取り付けられる。このインナー部材の位置決めには、精度が必要とされた。
【００１０】
そこで、本発明は、上記問題を解決するためになされたものであり、外観部品の組み立て工数を削減し、かつ外観に影響を与えることなくインナー部材の位置決めを精度良く行うことができる機器を提供することを目的とする。
【課題を解決するための手段】
【００１１】
上記目的を達成するために、本発明の機器は、カバーと、前記カバーに取り付けられる外観部品と、前記カバーの内側に取り付けられることで、内部部品を保持するインナー部材とを有し、前記外観部品には前記カバーに係合する係合部が形成され、前記係合部を前記カバーに係合させたのち、前記インナー部材を前記カバーの内側に固定することで、前記カバーに係合させた前記係合部と前記インナー部材が係合して、前記外観部品を前記カバーに固定することを特徴とする。
【発明の効果】
【００１２】
本発明の機器によれば、外観部品のビス締め、かしめ等の組み立て工数を削減することが可能となり、低コストで外観部材をカバーに固定することができる。また、外観に影響を与えることなくインナー部材をカバーの内側に取り付けることができる。
【発明を実施するための最良の形態】
【００１３】
本発明の機器の実施の形態について図面を参照しながら説明する。本実施形態の機器は撮像装置であるデジタルカメラに適用される。なお、撮像装置において、レンズが配されている側の面を前面と称し、表示部が搭載されている側の面を背面と称する。
【００１４】
図１は撮像装置の前面における外観構成を示す斜視図である。図２は撮像装置の背面における外観構成を示す斜視図である。撮像装置１は、鏡筒４、レリーズボタン６、ズームダイアル５、電源ボタン８、モードダイアル７、ポップアップストロボ９、発光部３、表示部１１、操作ボタン１２、セットキー１３およびカーソルキー１４を備える。
【００１５】
鏡筒４には、フォーカスレンズやズームレンズなどから構成されるレンズ部や、このレンズ部を通して入射される光学画像を撮像して電気信号（映像信号）を出力する撮像素子などが内蔵されている。
【００１６】
レリーズボタン６は、撮像素子で撮像されている電気信号を映像信号として取り込む際、撮影者によって押圧・操作される。
【００１７】
ズームダイアル５は、レリーズボタン６に対して略同軸に、かつレリーズボタン６の周方向に回転自在に配されている。使用者は、ズームダイアル５を回転・操作することで、鏡筒４内のズームレンズを光軸方向に移動させ、撮像素子に結像される光学画像の拡大または縮小を行う。なお、ズーム動作には、ズームレンズを移動させる光学ズームに限らず、映像信号を信号処理で拡大または縮小する電子ズームも含まれる。
【００１８】
モードダイアル７は、撮影モードを、絞り優先モード、シャッタスピード優先モード、プログラムＡＥモード、オートモード、ポートレートモード、風景モード、動画モード等の種々のモードに切り替える際、撮影者によって回転・操作される。
【００１９】
ポップアップストロボ９は、電源ボタン８の操作による鏡筒４の繰り出しに連動してポップアップし、鏡筒４の沈胴に連動して収納される。さらに、ポップアップストロボ９は、レリーズボタン６の動作と同時に閃光を発する。ポップアップストロボ９は、撮像装置１の任意の設定に応じて、発光／非発光に切り換えられる。
【００２０】
発光部３は、補助光窓３ａ（図３参照）を有するとともに発光ダイオードを内蔵しており、低照度時やセルフタイマ撮影時などに点灯あるいは点滅する。
【００２１】
表示部１１は、撮像中の画像（いわゆるスルー画像）やメニュー画面の他、電池残量、現在日時、撮影可能枚数などの各種情報を表示する。本実施形態では、表示部１１は、液晶パネルで構成されたが、有機ＥＬ素子やその他の表示素子で構成されてもよい。また、表示部１１は、撮像装置１において、鏡筒４とは反対側の面に配されている。
【００２２】
カーソルキー１４は、上下左右の方向に指示操作を行うものである。カーソルキー１４における、上・下・左・右の各操作部には、所定の機能が割り当てられる。割り当てられている機能は、例えば、ストロボの発光／非発光の切り替え、セルフタイマ機能のＯＮ／ＯＦＦ切り替え、ブラケット撮影の設定などである。また、表示部１１にメニュー画面を表示させた際、カーソルキー１４によりメニュー内に表示されているカーソルを所望の方向へ移動させる操作を行うことも可能である。
【００２３】
操作ボタン１２には、例えば、表示部１１に表示される各種情報の表示／非表示を切り替える機能や、その他様々な機能が割り当てられる。なお、本実施形態では、操作ボタンの数は４個であるが、この数に限定されないことは勿論である。
【００２４】
また、撮像装置１の外装（ケーシング）は、前面カバー２１、上面カバー２２、背面カバー２３および側面カバー２４で構成されている。各カバーの組み立ての概要は、つぎの通りである。すなわち、カメラユニットの上面に上面カバーユニットを取り付け、カメラユニットの前面に前面カバーユニットを取り付け、カメラユニットの背面に背面カバーユニットを取り付け、カメラユニットの側面に側面カバーユニットを取り付けることが行われる。
【００２５】
つぎに、図３〜図１６を用いて、前面カバーユニットの構成について説明する。図３は前面カバーユニットの構成を示す分解斜視図である。前面カバーユニットは、アルミニウム等の金属製の前面カバー２１、金属製の鏡筒リング２、透明樹脂である補助光窓（窓部材）３ａを保持する樹脂製のインナー部材３１、および側面の一部を形成する樹脂製のインナー部材３２から構成される。前面カバー２１および鏡筒リング２は同じ金属で成形される。また、インナー部材３１、３２は、前面カバー２１の内側に取り付けられ、同じ樹脂で成形される。また、インナー部材３１には、内部部品として補助光窓３ａが保持される他、図示しない基板や各種部品が保持される。
【００２６】
一方、鏡筒リング２は鏡筒４を覆うために略円柱形状を有する。また、鏡筒リング２の端面には、前面カバー２１と係合するための５つの爪部２ａ〜２ｅが形成されている。
【００２７】
つぎに、鏡筒リング２を前面カバー２１に組み付ける手順について説明する。図４は鏡筒リング２を前面カバー２１に組み付けた状態における前面カバー２１の構造を示す背面図である。図５は図４のＡ−Ａ線方向から視た前面カバー２１の構造を示す断面図である。
【００２８】
鏡筒リング２は前面カバー２１に対してバヨネット係合により取り付けられる。従って、本来の取り付け位置から、図４の反時計回りに４度回転させた状態で、鏡筒リング２は前面カバー２１に挿入される（図５（Ａ）参照）。
【００２９】
そして、鏡筒リング２の端部が前面カバー２１に突き当たると（図５（Ｂ）参照）、鏡筒リング２は前面カバー２１に対して図４の時計回りに４度回転させられる（図５（Ｃ）参照）。このとき、鏡筒リング２の５箇所に形成された爪部２ａ〜２ｅが前面カバー２１の板厚と係合し、その光軸方向の位置が規制される。本実施形態では、鏡筒リング２の爪部（バヨネット係合部）２ａ〜２ｅを５箇所に設け、鏡筒リング２のバヨネット係合回転角を４度とした場合を示したが、爪部の数およびバヨネット係合回転角は特に限定されない。
【００３０】
本実施形態では、前面カバー２１は３Ｄ曲面形状を有する。図６は前面カバー２１の構造を示す正面図である。図７は図６の右側から視た前面カバー２１の構造を示す側面図である。図８は図６のＢ−Ｂ線方向から視た前面カバー２１の構造を示す断面図である。図９は図８の二点鎖線Ｋで囲まれる部分を拡大して示す詳細図である。図１０は図６のＣ−Ｃ線方向から視た前面カバー２１の構造を示す断面図である。
【００３１】
前面カバー２１には、図９に示すように、前面カバー２１より板厚の半分程度下がった位置に、鏡筒リングの受け面２１ａ、２１ｂ、２１ｄ、２１ｅ、２１ｆが形成されている。受け面２１ｃは、前面カバー２１の底面の稜線Ｒに大きくかかっているため、図７に示すように、前面カバー２１より突出している。なお、図６において、鏡筒リングの受け面で塗り潰されている部分は平面である。受け面２１ａ、２１ｆの塗り潰し部と受け面２１ｃの高さは同じである。また、受け面２１ｂの塗り潰し部と受け面２１ｅの塗り潰し部の高さは同じである。
【００３２】
一方、鏡筒リング２の、前面カバー２１の受け面に対応する位置にも、平面部が設けられている。鏡筒リング２と前面カバー２１は、この平面で密接する。部品の加工精度および組み立て時の隙間等を考慮すると、受け面は全て平面であることが好ましい。しかし、図１０を見ても分かるように、前面カバー２１は鏡筒中心部が最も高く、その上方あるいは下方にいくにつれて低くなる。このため、全ての受け面を平面にすることはできず、鏡筒リング２の爪部２ａ〜２ｅがかかる部分と受け面２１ｃのみが平面に形成されている。
【００３３】
バヨネット係合により係合する回転の方向は、図６の反時計回りの方向である。鏡筒リング２の端面と前面カバーの受け面２１ａはバヨネット係合の回転前に密接するが、回転後、これらの間には僅かな隙間が生じる。
【００３４】
図１１はバヨネット係合により鏡筒リング２を前面カバー２１に組み付けた状態における鏡筒リング２および前面カバー２１の構造を示す断面図である。図１２は図１１の二点鎖線Ｄで囲まれた部分を拡大して示す詳細図である。図１３は図１１の二点鎖線Ｅで囲まれた部分を拡大して示す詳細図である。
【００３５】
図１２には、さらに、二点鎖線Ｊで囲まれた部分が示されている。図１２に示すように、鏡筒リング２の端面と前面カバーの受け面２１ａの間には、僅かな隙間ａが生じていることが分かる。
【００３６】
一方、前面カバーの受け面２１ｂと鏡筒リング２の端面との関係は逆になる。すなわち、前面カバーの受け面２１ｂと鏡筒リング２の端面との間には、バヨネット係合の回転前に僅かな隙間があり、回転後、前面カバーの受け面２１ｂと鏡筒リング２の端面は隙間なく密接する。
【００３７】
このような関係は、受け面２１ａと受け面２１ｂとそれぞれ点対称の位置にある受け面２１ｄ、２１ｅと受け面２１ｆに関しても言える。すなわち、バヨネット係合の回転後、受け面２１ｆは鏡筒リング２と密接するが、受け面２１ｄ、２１ｅは鏡筒リング２との間に僅かな隙間を生じる。
【００３８】
鏡筒リング２を前面カバー２１に押し付ける方向では、受け面２１ｂ、２１ｆの曲面部と塗り潰し部の平面部で押す力を受けることができ、静圧に対して十分に強い構造をとることができる。また、受け面２１ａ、２１ｄ、２１ｅの曲面部においても、バヨネット結合回転角度を４度と小さくしているので、僅かな隙間をより小さくすることができる。このように、鏡筒リング２はバヨネット係合により前面カバー２１に組み付けられるので、光軸方向に対して規制される。
【００３９】
つぎに、鏡筒リング２の回転方向の規制について説明する。鏡筒リング２を前面カバー２１に組み付けた後、インナー部材３１およびインナー部材３２の組み付けが行われる。図１４は鏡筒リング２およびインナー部材３１、３２を組み付けた状態における前面カバー２１の構造を示す背面図である。図１５は図１４のＦ−Ｆ線方向から視た前面カバー２１の構造を示す断面図である。図１６は図１５の二点鎖線Ｇで囲まれた部分の構造を拡大して示す詳細図である。
【００４０】
インナー部材３１には、透明樹脂部品である補助光窓３ａが前もって組み付けられている。補助光窓３ａの円筒部が前面カバー２１の穴部と嵌合することにより、インナー部材３１は位置決めされる。また、鏡筒リング２の爪部２ａと前面カバー２１の穴部２１ｊとの隙間にインナー部材３１の凸部３１ａが嵌め込まれる。同様に、鏡筒リング２の爪部２ｂと前面カバー２１の穴部との隙間にインナー部材の凸部３１ｂが嵌め込まれる。
【００４１】
このように、インナー部材の凸部３１ａ、３１ｂが、鏡筒リング２と前面カバー２１とのバヨネット係合後の隙間に嵌め込まれることにより、鏡筒リング２の回転方向の位置は規制されるとともに、インナー部材３１が精度良く位置決めされる。
【００４２】
つぎに、インナー部材３２が前面カバー２１に組み付けられ、鏡筒リング２の爪部２ｃと前面カバー２１との隙間にインナー部材３２の凸部３２ｃが嵌め込まれる。これにより、インナー部材３２は外装端面と凸部３２ｃによって精度良く位置決めされる。
【００４３】
また、鏡筒リング２のバヨネット係合はインナー部材の凸部３１ａ、３１ｂ、３２ｃにより合計３箇所で固定（ロック）されるので、鏡筒リング２の回転方向の位置は十分に規制される。なお、本実施形態では、バヨネット係合のロック（バヨネットロック）は３箇所で行われたが、その数あるいはロック方法はこれに限られない。例えば、インナー部材が前面カバーに組み付けられた後、接着溝に接着剤を塗布して固定されてもよい。その接着方法は両面テープ等を用いてもよく、インナー部材が固定される限り、特に限られない。
【００４４】
このように、本実施形態の撮像装置では、外装のインナー部材の凸部が鏡筒リングのバヨネットロックとインナー部材自身の位置決めを兼ねる。これにより、鏡筒リングのビス締め等の組み立て工数を削減し、かつ外観に影響を与えることなくインナー部材の位置決めを精度良く行うことができる。
【００４５】
すなわち、前面カバーの穴部に挿入された鏡筒リングの爪部が前面カバーの板厚と係合し、この係合部が、インナー部材により固定されることで、鏡筒リングが前面カバーに固定される。このように、インナー部材の固定が鏡筒リングの前面カバーへの固定と自身の位置決めとを兼ねることができる。これにより、鏡筒リングのビス締め等の組み立て工数を削減し、かつ外観に影響を与えることなくインナー部材の位置決めを精度良く行うことができる。また、前面カバーの穴部に挿入された鏡筒リングの爪部がバヨネット係合により前面カバーの板厚と係合し、インナー部材によりこのバヨネット係合部が固定されたので、鏡筒リングを前面カバーに取り付ける作業を簡単にすることができる。また、バヨネット係合部で、穴部と爪部との隙間にインナー部材の凸部が嵌め込まれるので、鏡筒リングの回転方向の位置が規制されるともに、インナー部材の位置決めを簡単かつ精度良く行うことができる。また、鏡筒リングの少なくとも一部が前面カバーと平面で密接するので、静圧に対して十分に強い構造をとることができ、鏡筒リングの光軸方向の位置決めを精度良く行うことができる。また、インナー部材には、窓が保持され、窓は前面カバーの穴に嵌め込まれるので、窓がインナー部材の位置決め用部材を兼ねることができ、位置決め用の部材を削減することができる。また、前面カバーおよび鏡筒リングはともに金属で成形され、インナー部材は樹脂で成形されたので、外装を金属で設計することができる。
【００４６】
以上、実施形態に基づいて本発明を説明したが、本発明は上記実施形態に限定されるものではなく、本発明の要旨の範囲内で種々の変形や応用が可能なことは勿論である。
【００４７】
例えば、上記実施形態では、外観部品として鏡筒リングを例に示したが、これに限らず、他の部材であってもよい。また、上記実施形態では、撮像装置として、コンパクトタイプのデジタルカメラを例に説明したが、本発明は、フイルムカメラ、デジタルビデオカメラ等にも適用可能である。また、上記実施形態では、機器として、撮像装置に適用された場合を示したが、本発明は種々の電子機器などにも適用可能である。
【００４８】
上記実施形態の機器によれば、バヨネット係合により外観部品の一部がカバーと係合するので、外観部品をカバーに取り付ける作業を簡単にすることができる。
【００４９】
上記実施形態の機器によれば、バヨネット係合部では、カバーの穴部に挿入された外観部品の爪部が当該カバーの板厚と係合し、穴部と爪部との隙間にインナー部材の凸部が嵌め込まれる。従って、外観部品のバヨネット回転方向の位置が規制されるともに、インナー部材の位置決めを簡単かつ精度良く行うことができる。
【００５０】
上記実施形態の機器によれば、外観部品の少なくとも一部がカバーと平面で密接したので、静圧に対して十分に強い構造をとることができ、平面に対して垂直な方向の外観部品の位置決めを精度良く行うことができる。
【００５１】
上記実施形態の機器によれば、インナー部材には、内部部品として窓が保持され、窓はカバーと係合するので、窓がインナー部材の位置決め用部材を兼ねることができ、位置決め用の部材を削減することができる。
【００５２】
上記実施形態の機器によれば、カバーおよび外観部品は金属で成形され、インナー部材は樹脂で成形されたので、外装を金属で設計することができる。
【００５３】
さらに、上記実施形態には、種々の段階の発明が含まれており、開示される複数の構成要件の適当な組み合わせにより種々の発明が抽出され得る。例えば、上記実施形態に示される全構成要件からいくつかの構成要件が削除されても、「発明が解決しようとする課題」の欄で述べた課題を解決することができる。また、「発明の効果」の欄で述べられている効果が得られる場合、この構成要件が削除された構成も発明として抽出され得る。
【図面の簡単な説明】
【００５４】
【図１】撮像装置の前面における外観構成を示す斜視図である。
【図２】撮像装置の背面における外観構成を示す斜視図である。
【図３】前面カバーユニットの構成を示す分解斜視図である。
【図４】鏡筒リング２を前面カバー２１に組み付けた状態における前面カバー２１の構造を示す背面図である。
【図５】図４のＡ−Ａ線方向から視た前面カバー２１の構造を示す断面図である。
【図６】前面カバー２１の構造を示す正面図である。
【図７】図６の右側から視た前面カバー２１の構造を示す側面図である。
【図８】図６のＢ−Ｂ線方向から視た前面カバー２１の構造を示す断面図である。
【図９】図８の二点鎖線Ｋで囲まれる部分を拡大して示す詳細図である。
【図１０】図６のＣ−Ｃ線方向から視た前面カバー２１の構造を示す断面図である。
【図１１】バヨネット係合により鏡筒リング２を前面カバー２１に組み付けた状態における鏡筒リング２および前面カバー２１の構造を示す断面図である。
【図１２】図１１の二点鎖線Ｄで囲まれた部分を拡大して示す詳細図である。
【図１３】図１１の二点鎖線Ｅで囲まれた部分を拡大して示す詳細図である。
【図１４】鏡筒リング２およびインナー部材３１、３２を組み付けた状態における前面カバー２１の構造を示す背面図である。
【図１５】図１４のＦ−Ｆ線方向から視た前面カバー２１の構造を示す断面図である。
【図１６】図１５の二点鎖線Ｇで囲まれた部分の構造を拡大して示す詳細図である。
【図１７】従来の撮像装置の外観を示す斜視図である。
【図１８】鏡筒リング１０２の組み付け方法を示す分解斜視図である。
【符号の説明】
【００５５】
１  撮像装置
２  鏡筒リング
２ａ、２ｂ、２ｃ、２ｄ、２ｅ  爪部
４  鏡筒
２１  前面カバー
３１、３２  インナー部材
３１ａ、３１ｂ、３２ｃ  凸部
【図１】
2010145707.tif 000003
【図２】
2010145707.tif 000004
【図３】
2010145707.tif 000005
【図４】
2010145707.tif 000006
【図５】
2010145707.tif 000007
【図６】
2010145707.tif 000008
【図７】
2010145707.tif 000009
【図８】
2010145707.tif 000010
【図９】
2010145707.tif 000011
【図１０】
2010145707.tif 000012
【図１１】
2010145707.tif 000013
【図１２】
2010145707.tif 000014
【図１３】
2010145707.tif 000015
【図１４】
2010145707.tif 000016
【図１５】
2010145707.tif 000017
【図１６】
2010145707.tif 000018
【図１７】
2010145707.tif 000019
【図１８】
2010145707.tif 000020